(57)【要約】【課題】ダイヤフラムプレスのダイヤフラムの取付けおよび取外しを簡単、迅速にできるようにする。【解決手段】テンションレール（３）は少なくとも１つの張架フレーム（１３）が着脱可能に収容された支持レール（８）を含み、前記張架フレーム（１３）はダイヤフラム（２）の周縁部に締め付けるために形成されており、それによって、新規に挿入されるダイヤフラム（２）を独立してかつ、ダイヤフラムプレスの外側に張架フレーム（１３）を装備し、次に該張架フレームがただ前記支持レール（８）の中に掛け吊すだけで済むことができる。その際に支持レールは取り外す必要がなく、全時間にわたりダイヤフラムプレスに留まる。テンションレール（３）は既存のダイヤフラムのための固定装置の代替物として既存のダイヤフラムプレスにも組み込むことができる。【選択図】図２
2009172681.tif 000002
【特許請求の範囲】
【請求項１】
ダイヤフラムプレスのダイヤフラム（２）のためのテンションレール（３）であって、
テンションレール（３）が支持レール（８）を具備し、支持レール（８）にはダイヤフラム（２）の周縁部での締め付けのために形成された少なくとも１つの張架フレーム（１３）が着脱可能に収容されている、
ことを特徴とするテンションレール（３）。
【請求項２】
支持レール（８）の断面がＣ字形状を有する、ことを特徴とする請求項１記載のテンションレール（３）。
【請求項３】
支持レール（８）のＣ字形状が、直線の背面領域（９）と、該背面領域（９）に対して平行に向けられた第１の脚部（１０）と、該背面領域（９）に対して平行に向けられた第２の脚部（１１）とを有する、ことを特徴とする請求項２記載のテンションレール（３）。
【請求項４】
張架フレーム（１３）が、第１の縦周縁部の領域で支持レール（８）の第１の脚部（１０）の内側に当接し、かつ、反対側の縦周縁部にある溝（１９）により支持レール（８）の第２の脚部（１１）上に載る、平らなプロファイルの形状の保持フレーム（１４）を有する、ことを特徴とする請求項３記載のテンションレール（３）。
【請求項５】
溝（１９）の中に、および／または、第２の脚部（１１）に、摩擦を低減する内張りを設けている、ことを特徴とする請求項４記載のテンションレール（３）。
【請求項６】
テンションレールがダイヤフラム（２）を保持フレーム（１４）と締付フレーム（１５）との間に締め付けるための保持フレーム（１４）に対して押圧可能である締付フレーム（１５）を有する、ことを特徴とする請求項４〜５のいずれか１項に記載のテンションレール（３）。
【請求項７】
テンションレールが保持フレーム（１４）および締付フレーム（１５）を互いに押圧するために少なくとも１本のネジ（１６）を有する、ことを特徴とする請求項６記載のテンションレール（３）。
【請求項８】
保持フレーム（１４）および／または締付フレーム（１５）の中にダイヤフラム（２）の局所的方向転換および／または圧縮のための手段（１８）が設けられている、ことを特徴とする請求項４〜７のいずれか１項に記載のテンションレール。
【請求項９】
ダイヤフラム（２）の局所的方向転換および／または圧縮のための手段が保持フレーム（１４）および／または締付フレーム（１５）の中にある長手方向に延伸する少なくとも１つの凹所を有し、該凹所の少なくとも１つの中に１つのプロファイル（１８）が挿入されている、ことを特徴とする請求項８記載のテンションレール。
【請求項１０】
部材を圧縮するためのダイヤフラムプレスであって、
部材が載せられる下部と、ダイヤフラム（２）を有する上部（１）とを備え、
該上部（１）および下部が互いに相対的に部材の挿入および抽出のための開放位置から閉鎖位置へ移動可能であり、
該閉鎖位置でダイヤフラムと下部との間に密閉された排気可能の空間が形成されており、かつ、
上部（１）にダイヤフラムを締め付けるための締付駆動装置（６）を備えた締付装置が配設されている、ものにおいて、
少なくとも２つの互いに独立した締付駆動装置（６）がその長手方向およびその横方向にダイヤフラム（２）を引張るために設けられている、ことを特徴とするダイヤフラムプレス。
【請求項１１】
締付装置が締付駆動装置（６）をダイヤフラム（２）の周縁部と接続する引張要素（４）を有する、ことを特徴とする請求項１０記載のダイヤフラムプレス。
【請求項１２】
締付駆動装置（６）が上部（１）の上側に配置されており、かつ、引張要素（４）が方向転換手段（５）によって方向転換される、ことを特徴とする請求項１０〜１１のいずれか１項に記載のダイヤフラムプレス。
【請求項１３】
ダイヤフラムプレスが請求項１〜９のいずれか１項に記載のテンションレール（３）を装備している、ことを特徴とする請求項１０〜１２のいずれか１項に記載のダイヤフラムプレス。
【発明の詳細な説明】
【技術分野】
【０００１】
本発明は、ダイヤフラムプレスのダイヤフラムのためのテンションレールに関する。
【背景技術】
【０００２】
ダイヤフラムプレスで好適な結果を達成できるようにするため、特に被圧縮部材に圧力を付勢するダイヤフラムが可能な限り折畳みなしに張り渡されることが非常に重要である。従来の技術からダイヤフラムを締め付けるための装置が知られている。たとえば特許文献１は、ダイヤフラムを張架するための手段を有する、いわゆるラミネートプレスを示す。ダイヤフラムは、その際にその周縁部で締付装置側の引張手段により締付駆動装置に接続される締付装置によって保持される。この締付装置の場合は、その都度多数のネジを締めたり弛めたりする必要があるので、ダイヤフラムの取付けおよび取外しが欠点である。とりわけダイヤフラムの取付け時に該ダイヤフラムの周縁部は締付装置のネジが十分に引き締められるまで長く引き留めておかなければならない。従って、ダイヤフラムを取り付けるために通常一人以上の人員が必要になる。
【０００３】
特許文献２は、ダイヤフラムが工具なしで固定可能である支持枠および保持要素を有するダイヤフラムを張架する装置を備えるダイヤフラムプレスを記載する。前記保持要素は、その際に爪状に２つの締付面と１本の締付ボルトによって形成されている。別法として前記保持要素は留め金状にベルトバックル、締付バックル、ばねクリップまたはスライドバーバックルの方式で形成されている。ダイヤフラムが一平面に張り渡され、周縁部で方向転換され、かつ、張力が周縁部で前記平面に対して垂直に係合するとき、該ダイヤフラムの周縁部は、ダイヤフラムの取付け時に保持要素がダイヤフラムを十分に締め付けるまで長く引き留めておく必要がある。この過程も、とりわけ保持要素をダイヤフラムの締付け時に引き留めておく必要があるために、大抵唯一人の人員によっては片づけることができない。
【先行技術文献】
【特許文献】
【０００４】
【特許文献１】国際公開ＷＯ２００６／１２８６９９
【特許文献２】独国特許１０２００５０３１４１６Ｂ４
【発明の概要】
【発明が解決しようとする課題】
【０００５】
上記の従来の技術から出発して本発明の基礎に置かれている課題は、ダイヤフラムの取付けおよび取外しが従来の技術から知られている装置よりも簡単かつ素早く可能であるテンションレールを提案することである。
【課題を解決するための手段】
【０００６】
この課題は、本発明により、テンションレールが、少なくとも１つの張架フレームが着脱可能に収容された支持レールを含み、ダイヤフラムの周縁部で締め付けるために前記張架フレームが形成されていることによって解決される。
【０００７】
本発明に係るこの解決策は、特に新規に挿入されるダイヤフラムが独立してかつ、ダイヤフラムプレスの外側に張架フレームを装備することができ、次に該張架フレームをただ前記支持レールの中に掛け吊すだけで済む長所を有する。その際に支持レールは取り外す必要がなく、全時間にわたりダイヤフラムプレスに留まる。本発明に係るテンションレールのもう１つの本質的な長所は、該テンションレールが、たとえば既存のダイヤフラム用の固定装置の代替物として既存のダイヤフラムプレスにも組み込むことができることにある。
【０００８】
一実施形態に従って支持レールの断面はＣ字形状を有する。このような形状は簡単かつ、コスト的に有利に製造され、かつ、特に簡単な方法で張架フレームの掛け吊しおよび掛け外しを可能にする。
支持レールのＣ字形状は、好ましくは直線の背面領域および前記背面領域に対して平行に向けられた第１の脚部と、前記背面領域に対して平行に向けられた第２の脚部とを有する。これはダイヤフラムプレスにおいて支持レールの好適なかつ、スペースを節約する配列を可能にする。
【０００９】
もう１つの実施形態に従って、張架フレームは第１の縦周縁部の領域で支持レールの第１の脚部の内側に当接し、かつ、反対側の縦周縁部にある溝により支持レールの第２の脚部の上に載る平なプロファイルの形態の保持フレームを有する。それによって張架フレームは、まず保持フレームの第１の縦周縁部が支持レールの第１の脚部の後方に移動され、かつ、次いで第２の縦周縁部がその中に配置された溝と共に支持レールの第２の脚部の上に載置されることによって、非常に簡単に支持レールの中に掛け吊すことができる。
【００１０】
張架フレームが必要に応じて容易に支持レールの中で移動できることによって、溝の中および／または第２の脚部で摩擦を低減する内張りが設けられている場合に有利である。
【００１１】
ダイヤフラムを簡単に張架フレームと接続できるようにするために、一実施形態に従ってダイヤフラムを保持フレームと締付フレームとの間に締め付ける保持フレームに対して押圧可能である締付フレームが設けられている。好ましくは保持フレームおよび締付フレームを互いに押圧するために少なくとも１本のネジが設けられている。
【００１２】
もう１つの実施形態に従って保持フレームおよび／または締付フレームの中にダイヤフラムの局所的方向転換および／または圧縮のための手段が設けられている場合、それによって保持力を改善することができる。
【００１３】
もう１つの実施形態に従って、ダイヤフラムの局所的方向転換および／または圧縮のための手段は、前記保持フレームおよび／または締付フレームの中にある長手方向に延伸する少なくとも１つの凹所を有し、前記凹所の少なくとも１つの中に１つのプロファイルが挿入されている。それによってダイヤフラムが方向転換され、かつ、引き抜きに対する抵抗が高められる。
【００１４】
本発明は、部材が載せられる下部と、ダイヤフラムを有する上部とを備え、前記上部および前記下部が互いに相対的に部材の挿入および抽出のために開放位置から閉鎖位置へ移動可能であり、前記閉鎖位置でダイヤフラムと下部との間に密閉された排気可能の空間が形成されており、かつ、上部にダイヤフラムを張架するための締付駆動装置を備えた締付装置が配設された、部材を圧縮するためのダイヤフラムプレスにも関する。
【００１５】
このようなプレスのダイヤフラムは大抵長方形であり、かつ、／または該ダイヤフラムの弾力性が全方向に等しくならないような構造を有するので、固定フレームまたは一方向にのみ作用する締付駆動装置を有する公知のダイヤフラムプレスにおいてはダイヤフラムの長手方向と、それに対して横方向とに様々な応力が生じる。
【００１６】
従って本発明のもう１つの課題は、ダイヤフラムの中にある応力が全方向にほぼ等しい大きさとなるように、締付装置によりダイヤフラムを張架することができるダイヤフラムプレスを提案することである。
【００１７】
この課題は、本発明により少なくとも２つの互いに独立した締付駆動装置がその長手方向およびその横方向にダイヤフラムを張架するために設けられていることによって解決される。
【００１８】
本発明に係るこの解決策は、ダイヤフラムを張架する時の経路がその長手方向と、それに対して横方向とに互いに独立して様々に調整可能であり、かつ、それによって張り渡し後にダイヤフラムの中にある引張応力が全方向に均一に調整できる長所を有する。
【００１９】
一実施形態に従って、締付装置は締付駆動装置をダイヤフラムの周縁部と接続する引張要素を有する。これは上部のほぼ任意の箇所への締付駆動装置の配列を可能にする。
【００２０】
もう１つの実施形態は、締付駆動装置が上部の上側に配置されており、かつ、引張要素が方向転換手段によって方向転換されることを考慮する。この配列はスペースを節約し、締付駆動装置が良好に近接できる状態にとどまる。
【００２１】
特に好ましい一実施形態に従って、ダイヤフラムプレスは請求項１〜９のいずれか１項に記載のテンションレールを装備している。
【図面の簡単な説明】
【００２２】
【図１】張架フレームおよび締付駆動装置を有する展開図によるダイヤフラムプレスの上部の一断面図。
【図２】張架フレームの横断面図。
【発明を実施するための形態】
【００２３】
本発明のより良い理解のために、図面を参照してより詳しく説明する。
【００２４】
初めに確認しておくべきことは、様々に記載された実施形態において同一の部分は同じ参照符号もしくは同じ部材名称を付けていることであり、全明細書に含まれる開示は意味に即して同じ参照符号もしくは同じ部材名称を有する部分にも転用することができる。また明細書の中で選択された、たとえば上、下、横等の位置表示は直接説明しならびに図示した図に関係し、かつ、位置が変化する場合は意味に即して新規位置へ転用する。さらに個別的特徴または特徴の組合せも独立の、発明によるまたは本発明に係る解決策のために図示し、かつ、説明した様々な実施例から示すことができる。
【００２５】
図１は、展開図でダイヤフラムプレスの上部１の一断面を示す。上部１は下方に開いた箱の形式に従って構成されており、かつ、その下側で可撓性の弾性材料、たとえばシリコーンまたは類似の材料からなるダイヤフラム２を担持する。上部１は図示しない巻上駆動装置によって図示しないダイヤフラムプレスの下部に対して調整可能である。ダイヤフラム２は、上部の沈み込み位置で被圧縮部分が収容された密閉空間を下部と共に形成することに指定されている。とりわけ下部に前記部分を加熱する加熱板を設けることができる。前記空間の排気によってダイヤフラムは被圧縮部分に圧力をかける。前記部分は、たとえばダイヤフラムプレスを利用して積層される光起電力セルおよびガラス板を含む層体とすることができる。
【００２６】
積層の結果は、特にダイヤフラムが折り畳むことなく被圧縮部分に載ることに大きく左右される。またダイヤフラムは、さもないと部品の取込みおよび取外しを妨害し得るために、該ダイヤフラムは上部１を持ち上げた時あまり強くたるませてはならない。そのために上部１はダイヤフラム２のための締付装置を装備している。ダイヤフラム２の周縁部は、通常長方形に形成された上部１の各側で上方へ方向転換され、かつ、締付装置はダイヤフラム２の各周縁部にテンションレール３を含み、以下該テンションレールの構造をより詳しく説明する。各テンションレールは、少なくとも１つの引張要素４、たとえば上部１の上側で方向転換ローラ５を介して案内されたケーブルに接続されている。上部１の上に、たとえば液圧式または空圧式のピストン・シリンダ・ユニットとしてまたはスピンドル駆動装置として形成することができる締付駆動装置６が配設されている。締付駆動装置６とケーブル４との間に動力伝達棒７を設けることができる。
【００２７】
ダイヤフラムは摩耗にさらされ、周期的に交換しなければならず、生産性のために人件費および時間コストを可能な限り低く抑える必要がある。ダイヤフラムが保持要素によって固定フレームと接続される従来の技術から知られている締付装置の場合、ダイヤフラムの取外しのために各保持要素は、ダイヤフラムをダイヤフラムプレスから除去できるようにする前に個別的にダイヤフラムの周縁部から外さなければならない。新規のダイヤフラムは、次に再び各保持要素と接続しなければならず、そのためにダイヤフラムの周縁部の各々１つの区間が持ち上げられ、かつ、保持要素の中に入れなければならない。この作業はかなりの時間を要し、かつ、大抵は個々人で実行できない。
【００２８】
図２は、図１よりも著しく大きい尺度で本発明に係るテンションレール３の一実施例の横断面図を示す。これは、ほぼＣ字形の１つの直線背面領域９と、２つの対向する、背面領域９に対して平行の脚部１０および１１とを有する支持レール８を含む。脚部１０はその際に脚部１１よりも長く、かつ、背面領域９から脚部１１よりも大きい間隔で配置されている。ネジ１２は引張要素４の固定のために設けられている。支持レール８、テンションレール３の中に張架フレーム１３は、該張架フレームが工具を使わずに取り出すことができるように挿入されている。張架フレーム１３は、該張架フレーム側でダイヤフラム２をその中間に収容する保持フレーム１４および締付フレーム１５を含む。保持フレーム１４に、ナットたとえばキャップナット１７を利用して締付フレーム１５を保持フレーム１４に対して張架することを可能にするネジ付ボルト１６が配置されている。このダイヤフラムを締め付けるための装置は例としてのみ挙げており、その他の多数のダイヤフラムを締め付ける変形が可能である。たとえばネジ付ボルト１６は縦溝を有することができ、かつ、キャップナット１７に代わり前記縦溝の中で駆動される楔を設けることができる。また工具を使わずに操作できるダイヤフラムを締め付けるための装置が考えられ、たとえばキャップナットに代わりバタフライナット、回しつまみまたは回転レバーを使用することもでき、あるいはバヨネット式締結具またはカムの原理に基づく締め付け機構を設けることもできる。張架フレーム１３の中のダイヤフラム２の保持を改善するために、保持フレームは長手方向に延伸する挿入プロファイル１８が収容された凹所を具備している。締付フレーム１５は挿入プロファイル１８の領域で同様に長手方向に延伸する凹所を有し、その結果、ダイヤフラム２は締め付け時に何度も曲げられており、それによって摩擦力と共に引き抜きに対する抵抗が本質的に高まる。挿入プロファイル１８に代わり、好適な隆起部も直接保持フレーム１４に設けることができ、あるいは保持フレーム１４および／または締付フレーム１５の該当する領域は歯状に形成することができる。
【００２９】
保持フレーム１４の下側に支持レール８の中に挿入された張架フレーム１３で支持レール８の脚部１１に載る長手方向に延伸する溝１９が取り付けられている。張架フレーム１３がダイヤフラム２の張り渡し時に必要に応じて支持レール８に沿って容易に移動できるようにするため、溝１９および／または該当する脚部１１の領域は、好ましくは摩擦低減層たとえばポリテトラフルオロエチレンまたは類似の材料からなる箔を具備している。張架フレーム１３を支持レール８から分離するために、張架フレーム１３のみを多少持ち上げ、かつ、その下端を支持レール８から移動する必要があるだけである。支持レール８からの意図しない張架フレーム１３の分離を防ぐために、支持レール８の上側脚部１０の開口部の中に挿入され、かつ、張架フレーム１３の持ち上げを不可能にする回転施錠体２０が設けられている。この回転施錠体２０は非円形の端部を有し、かつ、開口部も非円形である。回転施錠体２０が開口部の中へ挿入後にたとえば９０°回転される場合、該回転施錠体は前記開口部から脱落できない。しかしまた張架フレーム１３の持ち上げは、その他の手段たとえばネジ、ボルトまたは保持フレーム１４の上方で支持レール８の中に挿入される形棒によって防止することができる。
【００３０】
ダイヤフラムプレスのダイヤフラムの交換は次のようにおこなわれる。まず新規のダイヤフラム２が機械の外側でその周縁部に張架フレーム１３を備える。該張架フレームは、好ましくは様々な長さで保管可能であり、必要に応じて、すなわち特にダイヤフラム２の材料、厚さおよび面積に応じて間隔を空けてまたは隙間なしにダイヤフラム２の周縁部に取り付けられる。この準備ステップ中にダイヤフラムプレスはまだ運転することができる。次にダイヤフラムプレスで必要に応じてダイヤフラム２の下側に設けた固定フレームおよび密閉フレームが弛められ、かつ、ダイヤフラム２がゆるくなるように締付駆動装置６が繰り出される。回転施錠体２０が支持レール８の中で取り除かれた後に、ダイヤフラムの周縁部に締め付けられた張架フレーム１３が、ガラス戸棚のスライドドアと同様に支持レール８から繰り出されることによって、置換するダイヤフラム２を掛け外すことができる。ここで上部１が持ち上げられ、かつ、置換するダイヤフラム２がダイヤフラムプレスから除去される。それに続き準備された新規のダイヤフラム２がダイヤフラムプレスの中に挿入される。事前に新規のダイヤフラム２に締め付けられた張架フレーム１３は上から支持レール８の中に挿入され、かつ、溝１９により支持レール８の脚部１１に設置される。支持レール８の中へ回転施錠体２０を挿入した後、新規のダイヤフラム２は締付駆動装置６によって締め付けることができる。ここでまだ上部１は必要に応じて設けている固定フレームおよび密閉フレーム上に載せ、かつ、該フレームを上部１に掛け吊すことができる。次に、ダイヤフラムプレスは再び生産のために準備される。
【００３１】
本発明に係る締付装置の本質的な長所は、ダイヤフラム交換が簡素化され、かつ、迅速化され、締付装置が既存のダイヤフラムプレスにも組込みでき、かつ、既存の固定システムを補完できることにある。大抵のダイヤフラムプレスの作業面は長方形である。つまり幅よりも大きい長さを有する。従って、均一な応力を達成するために必要な張り渡し経路もダイヤフラムの全面にわたりダイヤフラムの長手方向にその横方向よりも大きくなる。固定フレームを有する公知の締付装置に比べて本発明に係る締付装置は、ここで独立して上部の縦側および幅側にあるテンションレールによってダイヤフラムの応力は両方向に互いに独立して発生させ、かつ、調整できる別の長所を有する。
【００３２】
本実施例はテンションレールの可能な実施変形を示しており、ここで本発明は特に図示したその実施変形に限定されておらず、むしろ個々の実施変形相互の種々の組合せも可能であり、かつ、この変形可能性は具体的な発明による技術的行為についての教示内容に基づく本技術分野で活動する当業者の技量にあることを指摘しておく。つまり図示および説明した実施変形の個々の詳細の組合せによって可能である全ての考え得る実施変形は本保護範囲によって併せて包含されている。
【００３３】
最後に形式を整えるために、テンションレールおよびダイヤフラムプレスの構造のより良い理解のために該ダイヤフラムプレスもしくはそれらの構成要素は一部実寸法ではなくおよび／または拡大および／または縮小して図示されたことを指摘しておく。
【符号の説明】
【００３４】
１    上部
２    ダイヤフラム
３    テンションレール
４    引張要素
５    方向転換ローラ
６    締付駆動装置
７    動力伝達棒
８    支持レール
９    背面領域
１０    脚部
１１    脚部
１２    ネジ
１３    張架フレーム
１４    保持フレーム
１５    締付フレーム
１６    ネジ付ボルト
１７    キャップナット
１８    挿入プロファイル
１９    溝
２０    回転施錠体
【図１】
2009172681.tif 000003
【図２】
2009172681.tif 000004